(57)【特許請求の範囲】
【請求項１】
発電電力を、電力系統に逆潮流、又は、該電力系統に接続された第１負荷装置及び給湯装置に供給可能な分散電源装置を制御する電力管理装置であって、
前記電力系統の昼間の買電単価及び夜間の買電単価を記憶する記憶部と、
所定時間毎の前記分散電源装置の予測発電電力量を算出する発電電力演算部と、
前記所定時間毎の前記第１負荷装置の予測消費電力量、及び、所定期間における前記給湯装置の予測使用電力量を算出する消費電力演算部と、
前記予測発電電力量及び前記予測消費電力量を用いて予測余剰電力量が発生する時間帯を抽出する制御部と、を備え、
前記制御部は、前記予測余剰電力量が発生する時間帯と、前記昼間の買電単価及び前記夜間の買電単価と、前記予測使用電力量と、前記給湯装置が湯沸かしを完了してから湯が使用されるまでの時間とに基づき、電気料金が安くなるよう、前記給湯装置が湯を沸かす時間帯を選択する、電力管理装置。
【請求項２】
請求項１に記載の電力管理装置において、
前記記憶部は、前記給湯装置の外気温によって変動する加熱効率をさらに記憶し、
前記制御部は、昼間の外気温と前記加熱効率と前記昼間の買電単価と前記予測使用電力量とに基づき、前記給湯装置が昼間に湯を沸かす場合に掛かる電気料金である第１電気料金を算出し、さらに、夜間の外気温と前記加熱効率と前記夜間の買電単価と前記予測使用電力量とに基づき、前記給湯装置が夜間に湯を沸かす場合に掛かる電気料金である第２電気料金を算出し、
前記制御部は、前記第１電気料金と前記第２電気料金との比較、及び、前記予測余剰電力量が発生する時間帯に基づき、電気料金が安くなるよう、前記給湯装置が湯を沸かす時間帯を選択する、電力管理装置。
【請求項３】
請求項１に記載の電力管理装置において、
前記記憶部は、前記給湯装置の外気温によって変動する加熱効率、及び、前記給湯装置の保温性能をさらに記憶し、
前記制御部は、昼間の外気温と前記加熱効率と前記昼間の買電単価と前記予測使用電力量とに基づき、前記給湯装置が昼間に湯を沸かす場合に掛かる電気料金である第１電気料金を算出し、さらに、夜間の外気温と前記加熱効率と前記保温性能と前記夜間の買電単価と前記予測使用電力量とに基づき、前記給湯装置が夜間に湯を沸かす場合に掛かる電気料金である第２電気料金を算出し、
前記制御部は、前記第１電気料金と前記第２電気料金との比較、及び、前記予測余剰電力量が発生する時間帯に基づき、電気料金が安くなるよう、前記給湯装置が湯を沸かす時間帯を選択する、電力管理装置。
【請求項４】
請求項２又は３に記載の電力管理装置において、
前記制御部は、前記給湯装置の取水温度を取得し、
前記消費電力演算部は、前記取水温度に基づき予測使用電力量を算出する、電力管理装置。
【請求項５】
請求項２から４の何れか一項に記載の電力管理装置において、
前記記憶部は、前記発電電力の売電単価をさらに記憶し、
前記制御部は、前記売電単価と前記予測余剰電力量とに基づき、前記発電電力を売電する場合に得られる電気料金である第３電気料金をさらに算出し、
前記制御部は、前記第１電気料金と、前記第２電気料金と、前記第３電気料金との比較に基づき、電気料金が安くなるよう、前記給湯装置が湯を沸かす時間帯を選択する、電力管理装置。
【請求項６】
請求項２から５の何れか一項に記載の電力管理装置において、
前記制御部は、前記時間帯において前記給湯装置で消費しきれない電力が生じる場合、該電力によって蓄電装置を充電する、電力管理装置。
【請求項７】
請求項２から６の何れか一項に記載の電力管理装置において、
前記給湯装置は、ヒートポンプ式給湯装置である、電力管理装置。
【請求項８】
請求項１から７の何れか一項に記載の電力管理装置において、
前記制御部は、前記第１負荷装置の過去の消費電力量の実績値に基づいて、前記予測消費電力量を算出する、電力管理装置。
【請求項９】
請求項１から８の何れか一項に記載の電力管理装置において、
前記昼間の買電単価及び夜間の買電単価を外部から取得する取得部をさらに備え、
前記記憶部は、昼間の買電単価及び夜間の買電単価の条件をさらに記憶し、
前記制御部は、外部から取得した昼間の買電単価及び夜間の買電単価が前記条件を満たす場合、前記給湯装置が湯を沸かす時間帯を選択するよう制御する、電力管理装置。
【請求項１０】
発電電力を、電力系統に逆潮流、又は、該電力系統に接続された第１負荷装置及び給湯装置に供給可能な分散電源装置を制御する電力管理装置の制御方法であって、
所定時間毎の前記分散電源装置の予測発電電力量を算出するステップと、
前記所定時間毎の前記第１負荷装置の予測消費電力量を算出するステップと、
所定期間における前記給湯装置の予測使用電力量を算出するステップと、
前記予測発電電力量及び前記予測消費電力量を用いて予測余剰電力量が発生する時間帯を抽出するステップと、
前記予測余剰電力量が発生する時間帯と、昼間の買電単価及び夜間の買電単価と、前記予測使用電力量と、前記給湯装置が湯沸かしを完了してから湯が使用されるまでの時間とに基づき、電気料金が安くなるよう、前記給湯装置が湯を沸かす時間帯を選択するステップと
を含む電力管理装置の制御方法。
【発明の詳細な説明】
【技術分野】
【０００１】
本発明は、電力管理装置及びその制御方法に関する。
【背景技術】
【０００２】
現在、電力会社では、夜間の余剰電力を有効に利用し、昼間の需要電力のピークを低減させるために、夜間の電気料金を低価格にし、かつ昼間の電気料金を一般的な料金プランよりも割高な価格にする料金プランを導入している。そこで、電気料金が低価格になる夜間の電力を利用して、湯を沸かす給湯システムが提案されている（特許文献１及び２）。
【先行技術文献】
【特許文献】
【０００３】
【特許文献１】特開２０１１−１２８７９号公報
【特許文献２】特開２００８−  ２７０２号公報
【発明の概要】
【発明が解決しようとする課題】
【０００４】
ところで、上記給湯システムにおいて湯を沸かす際、夜間の電力を利用することが、必ずしも経済的に有利ではない場合がある。
【０００５】
例えば、夜間は、昼間と比較して外気温が低くなることが多い。この場合、外気温に起因して、給湯システムの夜間における加熱能力が、昼間における加熱能力よりも、低くなる。このとき、夜間に湯を沸かす場合に使用する電力量は、昼間に湯を沸かす場合に使用する電力量よりも、多くなる。そのため、結果として、夜間に湯を沸かす場合に掛かる電気料金が、昼間に湯を沸かす場合に掛かる電気料金よりも、高くなることもあり得る。
【０００６】
かかる点に鑑みてなされた本発明の目的は、需要家施設における経済的効果を高めることができる電力管理装置及びその制御方法を提供することにある。
【課題を解決するための手段】
【０００７】
本発明の一実施形態に係る電力管理装置は、発電電力を、電力系統に逆潮流、又は、該電力系統に接続された第１負荷装置及び給湯装置に供給可能な分散電源装置を制御する電力管理装置であって、前記電力系統の昼間の買電単価及び夜間の買電単価を記憶する記憶部と、所定時間毎の前記分散電源装置の予測発電電力量を算出する発電電力演算部と、前記所定時間毎の前記第１負荷装置の予測消費電力量、及び、所定期間における前記給湯装置の予測使用電力量を算出する消費電力演算部と、前記予測発電電力量及び前記予測消費電力量を用いて予測余剰電力量が発生する時間帯を抽出する制御部と、を備え、前記制御部は、前記予測余剰電力量が発生する時間帯と、前記昼間の買電単価及び前記夜間の買電単価と、前記予測使用電力量と、前記給湯装置が湯沸かしを完了してから湯が使用されるまでの時間とに基づき、電気料金が安くなるよう、前記給湯装置が湯を沸かす時間帯を選択する。
【０００８】
また、本発明の一実施形態に係る電力管理装置の制御方法は、発電電力を、電力系統に逆潮流、又は、該電力系統に接続された第１負荷装置及び給湯装置に供給可能な分散電源装置を制御する電力管理装置の制御方法であって、所定時間毎の前記分散電源装置の予測発電電力量を算出するステップと、前記所定時間毎の前記第１負荷装置の予測消費電力量を算出するステップと、所定期間における前記給湯装置の予測使用電力量を算出するステップと、前記予測発電電力量及び前記予測消費電力量を用いて予測余剰電力量が発生する時間帯を抽出するステップと、前記予測余剰電力量が発生する時間帯と、昼間の買電単価及び夜間の買電単価と、前記予測使用電力量と、前記給湯装置が湯沸かしを完了してから湯が使用されるまでの時間とに基づき、電気料金が安くなるよう、前記給湯装置が湯を沸かす時間帯を選択するステップとを含む。
【発明の効果】
【０００９】
本発明の一実施形態に係る電力管理装置及びその制御方法によれば、需要家施設における経済的効果を高めることができる。
【図面の簡単な説明】
【００１０】
【図１】本発明の第１の実施形態に係る電力管理装置を含む電力管理システムの概略構成を示す図である。
【図２】予測発電電力量、予測消費電力量及び差分電力量の一例を示す図である。
【図３】外気温と関連付けて記憶部に記憶される給湯装置の加熱効率の一例を示す図である。
【図４】本発明の第１の実施形態において算出される昼間の電気料金及び夜間の電気料金の一例を示す図である。
【図５】図２に示す予測発電電力量等において、湯を沸かす時間帯を選択した際の一例を示す図である。
【図６】本発明の第１の実施形態に係る電力管理装置が予測余剰電力量の発生する時間帯を抽出する際の動作の一例を示すフローチャートである。
【図７】本発明の第１の実施形態に係る電力管理装置が第１電気料金及び第２電気料金を算出する際の動作の一例を示すフローチャートである。
【図８】本発明の第１の実施形態に係る電力管理装置が給湯装置の湯を沸かす時間帯を選択する際の動作の一例を示すフローチャートである。
【図９】本発明の第２の実施形態において、算出される昼間の電気料金及び夜間の電気料金の一例を示す図である。
【図１０】本発明の第３の実施形態において、算出される昼間の電気料金及び夜間の電気料金の一例を示す図である。
【発明を実施するための形態】
【００１１】
以下、本発明に係る実施形態について、図面を参照して説明する。なお、本実施形態において、特許請求の範囲における「分散電源装置」は、太陽光発電装置であるものとして説明するが、これに限定されない。分散電源装置は、例えば、風力、水力又は地熱等を利用して発電するものであってもよい。なお、分散電源装置に蓄電装置を用いる、又は前記分散電源と併用するものとしてもよいが、その場合は、蓄電装置の充電効率及び放電効率を適用した電力量を算出の上で経済的効果の判定を行うものとする。
【００１２】
（第１の実施形態）
［システム構成］
図１に、本発明の一実施形態に係る電力管理装置１０を含む電力管理システム１の概略構成を示す。図１において、各機能ブロックを結ぶ実線は電力線を示し、破線は制御線及び信号線を示す。なお、電力管理装置１０内では、制御線及び信号線は、図示を省略している。また、以下の説明においては、電力管理システム１は、第１負荷装置４０及び蓄電装置３０を備えるものとしたが、必須構成ではなく、電力管理システム１は、太陽光発電装置２０と、給湯装置５０と、電力管理装置１０とを備えていればよい。
【００１３】
電力管理システム１は、需要家施設に設置され、需要家施設で消費される消費電力を管理するシステムである。電力管理システム１が設置される需要家施設は、電力会社と時間帯別電灯契約をしているものとする。時間帯別電灯契約は、少なくとも、第１買電単価の第１時間帯と、第１買電単価と異なる第２買電単価の第２時間帯で構成される。時間帯別電灯契約では、通常、昼間（第１時間帯）の買電単価（第１買電単価）が割高となり、夜間（第２時間帯）の買電単価（第２買電単価）が割安となる。電力管理システム１は、電力管理装置１０と、太陽光発電装置（分散電源装置）２０と、蓄電装置３０と、第１負荷装置４０と、給湯装置（第２負荷装置）５０とを備える。なお、時間帯別電灯契約は、第１時間帯及び第２時間帯の場合に限られず、買電単価が設定された時間帯が３つ以上で構成されていてもよい。
【００１４】
電力管理装置１０は、太陽光発電装置２０、蓄電装置３０、第１負荷装置４０及び給湯装置５０を制御する。電力管理装置１０は、太陽光発電装置２０、蓄電装置３０、第１負荷装置４０及び給湯装置５０と、有線又は無線により接続して通信することが可能であり、通信プロトコルとしては、例えばＥＣＨＯＮＥＴ  Ｌｉｔｅ（登録商標）等を用いることができる。なお、ＥＣＨＯＮＥＴ  Ｌｉｔｅはあくまで一例であって、他の通信プロトコルであってもよい。
【００１５】
また、電力管理装置１０は、太陽光発電装置２０から、太陽光発電装置２０の発電電力量の情報を取得し、第１負荷装置４０から、第１負荷装置４０の消費電力量の情報を取得する。第１負荷装置４０が通信機能を有さない場合は、第１負荷装置４０への電力供給ラインにＣＴを配置して電力管理装置１０に接続し、消費電力量を直接算出するものとしてもよい。また、電力管理装置１０は、給湯装置５０から、給湯装置５０が沸かした湯量（つまり、需要家施設の使用湯量）の情報を取得する。電力管理装置１０の構成及び機能の詳細については後述する。
【００１６】
太陽光発電装置２０は、太陽光のエネルギーから直流電力を発電し、発電した直流電力を交流電力に変換する。太陽光発電装置２０は、交流電力に変換した発電電力を、蓄電装置３０、第１負荷装置４０及び給湯装置５０に供給する。また、需要家施設が電力会社と余剰電力の買い取り契約をしている場合、太陽光発電装置２０の発電電力を電力系統１００（電力会社）に逆潮流させて、売電することもできる。
【００１７】
蓄電装置３０は、太陽光発電装置２０と並列して電力系統１００に接続される。蓄電装置３０は、放電電力によって、第１負荷装置４０及び給湯装置５０に電力を供給する。また、蓄電装置３０は、太陽光発電装置２０又は電力系統１００から供給される電力によって、充電される。
【００１８】
第１負荷装置４０は、例えば、電気機器等である。第１負荷装置４０は、任意の台数であってよい。第１負荷装置４０は、太陽光発電装置２０、蓄電装置３０又は電力系統１００から供給される電力を消費する。
【００１９】
給湯装置５０は、電気を利用して湯を沸かし、沸かした湯を貯湯しておくことができる。給湯装置５０は、例えば、ＨＰ（ヒートポンプ）式給湯装置又は電気ヒータ式給湯装置等である。ここでは、給湯装置５０は、ＨＰ式給湯装置であるものとして説明する。給湯装置５０は、太陽光発電装置２０、蓄電装置３０又は電力系統１００から供給される電力を消費する。給湯装置５０も負荷装置の一種である。
【００２０】
続いて、電力管理装置１０の構成及び機能の詳細について説明する。電力管理装置１０は、発電電力演算部１１と、消費電力演算部１２と、給湯管理部１３と、取得部１４と、記憶部１５と、表示部１６と、制御部１７とを備える。
【００２１】
発電電力演算部１１は、記憶部１５から制御部１７を介して、太陽光発電装置２０の過去の発電電力量の実績値を取得する。発電電力演算部１１は、取得した太陽光発電装置２０の過去の発電電力量の実績値に基づいて、所定時間毎の太陽光発電装置２０の予測発電電力量を算出する。予測発電電力量とは、太陽光発電装置２０が発電すると予測される発電電力量である。発電電力演算部１１は、例えば、翌日の１時間毎の予測発電電力量を算出する。
【００２２】
また、発電電力演算部１１は、太陽光発電装置２０から太陽光発電装置２０の発電電力量の情報を取得すると、制御部１７を介して記憶部１５に記憶させる。
【００２３】
消費電力演算部１２は、記憶部１５から制御部１７を介して、第１負荷装置４０の過去の消費電力量の実績値を取得する。消費電力演算部１２は、取得した第１負荷装置４０の過去の消費電力量の実績値に基づいて、所定時間毎の第１負荷装置４０の予測消費電力量を算出する。予測消費電力量とは、第１負荷装置４０が消費すると予測される消費電力量である。消費電力演算部１２は、例えば、翌日の１時間毎の予測消費電力量を算出する。
【００２４】
また、消費電力演算部１２は、記憶部１５から制御部１７を介して、給湯装置５０の過去の沸かした湯量の実績値を取得する。消費電力演算部１２は、取得した給湯装置５０の過去の沸かした湯量の実績値に基づいて、所定期間における予測使用湯量を算出する。予測使用湯量とは、給湯装置５０が設置される需要家施設で、使用されると予測される湯量である。消費電力演算部１２は、例えば、翌日の１日における予測使用湯量を算出する。
【００２５】
さらに、消費電力演算部１２は、算出した予測使用湯量を用いて、予測使用電力量を算出する。予測使用電力量とは、給湯装置５０が、定格加熱能力で、所定温度の水（例えば５℃）を需要家施設で設定されている湯の温度（例えば４２℃）まで上昇させることで、予測使用湯量を生成する際に、使用すると予測される消費電力である。
【００２６】
また、消費電力演算部１２は、第１負荷装置４０から第１負荷装置４０の消費電力量の情報を取得すると、制御部１７を介して記憶部１５に記憶させる。また、消費電力演算部１２は、給湯装置５０から給湯装置５０の沸かした湯量の情報を取得すると、制御部１７を介して記憶部１５に記憶させる。
【００２７】
給湯管理部１３は、制御部１７の制御に基づき、給湯装置５０を制御する。給湯管理部１３は、例えば、制御部１７から指示された時間帯に、湯を沸かすよう給湯装置５０を制御する。
【００２８】
取得部１４は、電力会社の外部サーバ等から、時間帯別電灯契約における昼間の買電単価及び夜間の買電単価を取得する。また、需要家施設が電力会社と余剰電力の買い取り契約をしている場合、取得部１４は、電力会社の外部サーバ等から、余剰電力の買い取り契約における売電単価を取得する。取得部１４が取得した、時間帯別電灯契約における昼間の買電単価及び夜間の買電単価と余剰電力の買い取り契約における売電単価（以下、合わせて「契約単価」とも称する）は、制御部１７によって記憶部１５に記憶される。
【００２９】
また、取得部１４は、外部サーバ又は外部に設置された温度計等から、外気温の情報を取得する。また、取得部１４は、気象予測機関の外部サーバ等から、気象予測の情報を取得する。取得部１４が取得した、外気温の情報及び気象予測の情報は、制御部１７によって記憶部１５に記憶される。
【００３０】
記憶部１５は、電力管理装置１０の処理に必要な情報及び電力管理装置１０の各機能を実現する処理内容を記述したプログラムを記憶している。
【００３１】
記憶部１５は、例えば、過去の太陽光発電装置２０の発電電力量の実績値、過去の第１負荷装置４０の消費電力量及び過去の給湯装置５０の沸かした湯量の実績値を記憶している。
【００３２】
また、記憶部１５は、時間帯別電灯契約における昼間の買電単価及び夜間の買電単価を記憶している。また、記憶部１５は、需要家施設が電力会社と余剰電力の買い取り契約をしている場合、余剰電力の買い取り契約における売電単価を記憶している。なお、取得部１４によって最新の契約単価が取得される度に、記憶部１５に記憶されている昼間の買電単価、夜間の買電単価及び売電単価は、更新される。
【００３３】
また、記憶部１５は、給湯装置５０の加熱効率を、外気温と関連付けて記憶している（後述の図３参照）。加熱効率とは、給湯装置５０の加熱能力を、給湯装置５０の定格加熱能力（つまり最大加熱能力）で除算したものであり、外気温により変動する。
【００３４】
表示部１６は、太陽光発電装置２０の発電状況等の各種情報を表示して利用者に提示する。
【００３５】
制御部１７は、電力管理装置１０全体を制御及び管理するものであり、例えばプロセッサにより構成することができる。制御部１７は、記憶部１５に記憶されているプログラムを読み出して実行し、様々な機能を実現させる。
【００３６】
制御部１７は、発電電力演算部１１から予測発電電力量を取得し、さらに消費電力演算部１２から予測消費電力量を取得する。制御部１７は、予測発電電力量及び予測消費電力量を用いて、予測余剰電力量が発生する時間帯を抽出する。この処理の一例は、後述の＜予測余剰電力量が発生する時間帯の抽出処理＞において詳細に説明する。
【００３７】
また、制御部１７は、消費電力演算部１２から予測使用電力量を取得すると、昼間の買電単価及び予測使用電力量を用いて、給湯装置５０が昼間の買電電力で昼間に湯を沸かす場合に掛かる電気料金（以下、「第１電気料金」と称する）を算出する。また、制御部１７は、夜間の買電単価及び予測使用電力量を用いて、給湯装置５０が夜間の買電電力で夜間に湯を沸かす場合に掛かる電気料金（以下、「第２電気料金」と称する）を算出する。これらの処理の一例は、後述の＜第１電気料金及び第２電気料金の算出処理＞において詳細に説明する。
【００３８】
また、制御部１７は、算出した第１電気料金と第２電気料金との比較、及び、抽出した予測余剰電力量が発生する時間帯に基づき、需要家施設での電気料金が安くなるよう、給湯装置５０が湯を沸かす時間帯を選択する。この処理の一例は、後述の＜給湯装置が湯を沸かす時間帯の選択処理＞において、詳細に説明する。
【００３９】
以下、制御部１７の処理の詳細について説明する。なお、発電電力演算部１１によって１時間毎の予測発電電力量が算出されるものとし、消費電力演算部１２によって１日における予測使用電力量が算出されるものとする。また、制御部１７は、給湯装置５０が湯を沸かす時間帯を、翌日の１日における時間帯から選択するものとして説明する。
【００４０】
＜予測余剰電力量が発生する時間帯の抽出処理＞
まず、予測余剰電力量が発生する時間帯を抽出する際の制御部１７の処理の一例について説明する。
【００４１】
制御部１７は、発電電力演算部１１から太陽光発電装置２０の予測発電電力量を取得し、さらに消費電力演算部１２から第１負荷装置４０の予測消費電力量を取得する。制御部１７は、予測発電電力量から予測消費電力量を減算して、差分電力量を算出する。
【００４２】
次に、制御部１７は、差分電力量に基づき、予測余剰電力量が発生する時間帯があるか否か判定する。制御部１７は、例えば、差分電力量が正値となる時間帯がある場合、予測余剰電力量が発生する時間帯があると判定する。又は、制御部１７は、例えば、差分電力量が所定閾値以上となる時間帯がある場合に、予測余剰電力量が発生する時間帯があると判定してもよい。この場合、複数の所定閾値を設定して、予測余剰電力量が発生する時間帯を複数抽出するようにしてもよい。制御部１７は、予測余剰電力量が発生する時間帯があると判定した場合、該時間帯を抽出して記憶部１５に記憶させる。
【００４３】
図２に、予測発電電力量、予測消費電力量及び差分電力量の一例を示す。図２において、縦軸は電力量を示し、横軸は時刻を示す。制御部１７は、例えば、差分電力量が正値となる時間帯がある場合に予測余剰電力量が発生する時間帯があると判定する場合、１２：００〜１４：００の時間帯を、予測余剰電力量が発生する時間帯として抽出する。また、制御部１７は、例えば、差分電力量が所定閾値（電力量ａ）以上となる時間帯がある場合に予測余剰電力量が発生する時間帯があると判定する場合、１１：００〜１５：００の時間帯を、予測余剰電力量が発生する時間帯として抽出する。なお、制御部１７は、需要家施設における消費電力のピークを助長しないよう、予測消費電力量がピークとなる時間帯（図２の例では９：００付近の時間帯）を避けて、予測余剰電力量が発生する時間帯を抽出するようにしてもよい。
【００４４】
＜第１電気料金及び第２電気料金の算出処理＞
次に、給湯装置５０が昼間の買電電力で昼間に湯を沸かす場合に掛かる電気料金である第１電気料金と、給湯装置５０が夜間の買電電力で夜間に湯を沸かす場合に掛かる電気料金である第２電気料金を算出する際の制御部１７の処理の一例について説明する。
【００４５】
まず、制御部１７は、翌日の昼間の外気温と夜間の外気温を取得する。制御部１７は、例えば、取得部１４によって気象予測の情報を取得し、翌日の昼間の外気温及び夜間の外気温を取得する。又は、制御部１７は、例えば、記憶部１５に記憶されている過去の数日分の昼間の外気温の平均値を算出して、翌日の昼間の外気温を取得してもよい。同様に、制御部１７は、記憶部１５に記憶されている過去の数日分の夜間の外気温の平均値を算出して、翌日の夜間の外気温を取得してもよい。
【００４６】
次に、制御部１７は、取得した昼間の外気温及び夜間の外気温に基づき、記憶部１５から、給湯装置５０の昼間の加熱効率と、給湯装置５０の夜間の加熱効率を取得する。
【００４７】
図３に、外気温と関連付けて記憶部１５に記憶される給湯装置５０の加熱効率の一例を示す。なお、本実施形態では、給湯装置５０の加熱効率は、外気温が７℃以上になると、１００％に維持されるようになる。そのため、記憶部１５には、図３に示すように、外気温が７℃以下である場合の給湯装置５０の加熱効率が外気温と関連付けて記憶されている。制御部１７は、例えば、取得した昼間の外気温が７℃である場合、記憶部１５から加熱効率１００％を取得する。また、制御部１７は、例えば、取得した夜間の外気温が０℃である場合、記憶部１５から加熱効率８０％を取得する。なお、制御部１７は、昼間の外気温及び夜間の外気温が７℃以上となる場合、給湯装置５０の加熱効率を１００％とする。
【００４８】
制御部１７は、取得した昼間の加熱効率と、給湯装置５０の予測使用電力量を用いて、給湯装置５０が昼間の買電電力で昼間に湯を沸かす場合に使用する電力量（以下、「第１使用電力量」と称する）を算出する。また、制御部１７は、取得した夜間の加熱効率と、予測使用電力量を用いて、給湯装置５０が夜間の買電電力で夜間に湯を沸かす場合に使用する電力量（以下、「第２使用電力量」と称する）を算出する。制御部１７は、例えば、以下の式（１）によって、第１使用電力量及び第２使用電力量を算出する。
Ｐａ＝Ｐ１×｛１＋（１００−ｅ）／１００）｝          式（１）
式（１）において、Ｐ１は予測使用電力量、ｅは給湯装置５０の加熱効率（昼間の加熱効率又は夜間の加熱効率）である。また、Ｐａは、第１使用電力量（ｅが昼間の加熱効率である場合）又は第２使用電力量（ｅが夜間の加熱効率である場合）である。制御部１７は、例えば、予測使用電力量Ｐ１が４．６ｋＷｈであり、かつ夜間の外気温が０℃（加熱効率ｅが８０％）である場合、式（１）によって第２使用電力量を５．５２ｋＷｈと算出する。
【００４９】
さらに、制御部１７は、算出した第１使用電力量と昼間の買電単価を用いて、第１電気料金を算出する。制御部１７は、例えば、第１使用電力量に昼間の買電単価を乗算して、第１電気料金を算出する。また、制御部１７は、算出した第２使用電力量と夜間の買電単価を用いて、第２電気料金を算出する。制御部１７は、例えば、第２使用電力量に夜間の買電単価を乗算して、第２電気料金を算出する。
【００５０】
図４に、本発明の第１の実施形態において、算出される第１電気料金及び第２電気料金の一例を示す。図４では、予測使用電力量を、一般的な給湯装置で、５℃の水３７４Ｌを４２℃まで沸き上げる際に使用される電力量４．６０ｋＷｈとしている。単価例Ａは、ある電力会社と時間帯別電灯契約をした際の昼間の買電単価及び夜間の買電単価である（２０１６年時点）。また、単価例１及び単価例２は、将来、電力会社と時間帯別電灯契約をした際に設定されると予想される、昼間の買電単価及び夜間の買電単価の一例である。将来的には、需要家施設への太陽光発電装置の設置が進むことで昼間の需要電力が低減し、電力会社の発電設備に余裕が生じるようになることで、単価例１及び単価例２のように、昼間の買電単価と夜間の買電単価との価格差が小さくなると予想される。
【００５１】
単価例Ａでは、外気温に関わらず、第２電気料金の方が第１電気料金よりも、小さくなる。従って、単価例Ａでは、外気温に関わらず、給湯装置５０によって夜間に湯を沸かした方が電気料金は安くなる。これに対し、単価例１において、昼間の外気温が７℃（加熱効率１００％）で夜間の外気温が０℃（加熱効率８０％）である場合、第２電気料金の方が第１電気料金よりも、大きくなる。つまり、昼間の外気温が７℃で夜間の外気温が０℃となる日では、給湯装置５０によって昼間に湯を沸かした方が電気料金は安くなる。また、単価例２においては、昼間の外気温が７℃（加熱効率１００％）で夜間の外気温が−５℃（加熱効率６５％）である場合に、第２電気料金の方が第１電気料金よりも、大きくなる。つまり、昼間の外気温が７℃で夜間の外気温が−５℃となる日では、給湯装置５０によって昼間に湯を沸かした方が電気料金は安くなる。このように、給湯装置５０の加熱効率を考慮した場合、昼間の買電単価と夜間の買電単価との価格差が小さくなると、昼間に湯を沸かした方が、電気料金が安くなる場合が生じる。
【００５２】
ここで、電力会社では、以下に示すような、時間帯別電灯契約における昼間の買電単価において、電力使用量に応じて３段階の買電単価を設定している場合がある。
夜間    （使用量に関わらず一定）          １２円
昼間      第１段階（９０ｋＷｈまで）      ２４円
昼間      第２段階（２３０ｋＷｈまで）    ３２円
昼間      第３段階（２３０ｋＷｈを超過）  ３７円
このような場合、制御部１７は、３段階の昼間の買電単価から需要家施設での積算電力使用量に応じて昼間の買電単価を選択し、選択した昼間買電単価を用いて、各々の電気料金を算出し、それらを合算して第１電気料金を算出するとよい。
【００５３】
＜給湯装置の湯を沸かす時間帯の選択処理＞
次に、抽出した予測余剰電力量が発生する時間帯等に基づき、需要家施設での電気料金が安くなるよう、給湯装置５０が湯を沸かす時間帯を選択する際の制御部１７の処理の一例について説明する。
【００５４】
まず、制御部１７は、記憶部１５を参照し、予測余剰電力量が発生する時間帯が抽出されているか否か判定する。
【００５５】
制御部１７は、予測余剰電力量が発生する時間帯が抽出されていないと判定した場合、第１電気料金の方が、第２電気料金よりも小さいか否か判定する。制御部１７は、第１電気料金の方が第２電気料金よりも小さいと判定した場合、昼間に湯を沸かした方が電気料金を安くすることができるため、給湯管理部１３に、昼間に湯を沸かすように指示する。給湯管理部１３は、制御部１７からこの指示を受けると、昼間に湯を沸かすように給湯装置５０を制御する。一方、制御部１７は、第１電気料金の方が第２電気料金よりも小さくないと判定した場合、夜間に湯を沸かした方が電気料金を安くすることができるため、給湯管理部１３に、夜間に湯を沸かすよう指示する。給湯管理部１３は、制御部１７からこの指示を受けると、夜間に湯を沸かすように給湯装置５０を制御する。また、制御部１７は、予測余剰電力量が発生する時間帯が抽出されていないと判定した場合、気温の高い昼間の時間帯を選択して湯を沸かしてもよい。気温の高い昼間の時間は、例えば所定の気温より大きくなる時間帯であってもよいし、予め定められた時間帯（１２：００〜１６：００）であってもよい。
【００５６】
このように、予測余剰電力量が発生する時間帯がない場合であっても、電気料金が安くなる昼間又は夜間に、給湯装置５０によって湯が沸かされる。これにより、電力管理装置１０では、需要家施設における経済的効果を高めることができる。
【００５７】
一方、制御部１７は、予測余剰電力量が発生する時間帯が抽出されていると判定した場合、第１電気料金の方が第２電気料金よりも小さいか否か判定する。
【００５８】
制御部１７は、第１電気料金の方が第２電気料金よりも小さいと判定した場合、予測余剰電力量を考慮して、給湯装置５０が湯を沸かす時間帯を選択する。制御部１７は、例えば、１日における予測余剰電力量が第１使用電力量よりも大きい場合、給湯装置５０が湯を沸かす時間帯として、予測余剰電力量が発生する時間帯から任意の時間帯を選択する。また、制御部１７は、例えば、１日における予測余剰電力量が第１使用電力量よりも小さい場合、給湯装置５０が湯を沸かす時間帯として、予測余剰電力量が発生する時間帯を選択する。なお、この場合、第１使用電力量と予測余剰電力量との差分は、電力会社からの買電電力によって補われるが、買電電力によって湯を沸かす場合であっても、昼間に湯を沸かす方が、夜間に湯を沸かすよりも、電気料金が安くなる。そのため、このような場合であっても、電力管理装置１０では、需要家施設における経済的効果を高めることができる。
【００５９】
制御部１７は、給湯装置５０が湯を沸かす時間帯を選択すると、該時間帯に湯を沸かすよう給湯管理部１３に指示する。給湯管理部１３は、制御部１７からこの指示を受けると、該時間帯に湯を沸かすよう給湯装置５０を制御する。
【００６０】
図５に、図２に示す予測発電電力量等において、湯を沸かす時間帯を選択した際の一例を示す。図５において、ハッチングで示す部分の横軸を占める部分は、給湯装置５０が湯を沸かす時間帯に対応し、ハッチングで示す部分が、給湯装置５０が湯を沸かす際に使用する電力量（第１使用電力量）に対応する。図５に示すように、給湯装置５０が湯を沸かす際に使用する電力量が予測余剰電力（正値となる差分電力量）を超える場合であっても、上述の処理により、より安い電気料金で湯を沸かすことができる。
【００６１】
また、予測余剰電力量が発生する時間帯が抽出されていると判定した場合であって、第１電気料金の方が第２電気料金よりも小さくないと判定した場合、１日における予測余剰電力量が第２使用電力量よりも大きいか否か判定する。
【００６２】
制御部１７は、１日における予測余剰電力量が第２使用電力量よりも大きいと判定した場合、昼間に発生する予測余剰電力量で湯を沸かすことができるため、予測余剰電力量が発生する時間帯を給湯装置５０が湯を沸かす時間帯として選択する。そして、制御部１７は、該時間帯に湯を沸かすよう給湯管理部１３に指示する。給湯管理部１３は、制御部１７からこの指示を受けると、該時間帯に湯を沸かすよう給湯装置５０を制御する。
【００６３】
一方、制御部１７は、１日における予測余剰電力量が第２使用電力量よりも大きくないと判定した場合、給湯管理部１３に、夜間に湯を沸かすよう指示する。給湯管理部１３は、制御部１７からこの指示を受けると、夜間に湯を沸かすよう給湯装置５０を制御する。なお、この際、昼間に発生する余剰電力によって、蓄電装置３０を充電してもよい。また、需要家施設が電力会社と余剰電力の買い取り契約をしている場合は、昼間に発生する余剰電力を電力会社に売電してもよい。
【００６４】
［システム動作］
以下、本実施形態に係る電力管理装置１０の動作について説明する。なお、以下では、１時間毎の予測発電電力量等及び１日における予測使用電力量を算出するものとし、給湯装置５０が湯を沸かす時間帯を、翌日の１日における時間帯から選択するものとして説明する。
【００６５】
＜予測余剰電力量が発生する時間帯を抽出する際の動作＞
まず、予測余剰電力量が発生する時間帯を抽出する際の電力管理装置１０の動作の一例について説明する。
【００６６】
図６は、本発明の第１の実施形態に係る電力管理装置１０が予測余剰電力量の発生する時間帯を抽出する際の動作の一例を示すフローチャートである。
【００６７】
発電電力演算部１１は、記憶部１５から制御部１７を介して、太陽光発電装置２０の過去の発電電力量の実績値を取得する。そして、発電電力演算部１１は、取得した太陽光発電装置２０の過去の発電電力量の実績値に基づいて、１時間毎の太陽光発電装置２０の予測発電電力量を算出する（ステップＳ１０１）。
【００６８】
一方、消費電力演算部１２は、記憶部１５から制御部１７を介して、第１負荷装置４０の過去の消費電力量の実績値を取得する。そして、消費電力演算部１２は、取得した第１負荷装置４０の過去の消費電力量の実績値に基づいて、１時間毎の第１負荷装置４０の予測消費電力量を算出する（ステップＳ１０２）。
【００６９】
また、消費電力演算部１２は、記憶部１５から制御部１７を介して、給湯装置５０の過去の沸かした湯量の実績値を取得する。そして、消費電力演算部１２は、１日における予測使用湯量を算出する（ステップＳ１０３）。さらに、消費電力演算部１２は、算出した予測使用湯量を用いて、予測使用電力量を算出する（ステップＳ１０４）。
【００７０】
制御部１７は、発電電力演算部１１から太陽光発電装置２０の予測発電電力量を取得し、さらに消費電力演算部１２から第１負荷装置４０の予測消費電力量を取得すると、予測発電電力量から予測消費電力量を減算して、差分電力量を算出する（ステップＳ１０５）。
【００７１】
次に、制御部１７は、差分電力量に基づき、予測余剰電力量が発生する時間帯があるか否か判定する（ステップＳ１０６）。制御部１７は、例えば、差分電力量が正値となる時間帯がある場合、予測余剰電力量が発生する時間帯があると判定する。また、制御部１７は、例えば、差分電力量が所定閾値以上となる時間帯がある場合、予測余剰電力量が発生する時間帯があると判定してもよい。
【００７２】
制御部１７は、予測余剰電力量が発生する時間帯がないと判定した場合（ステップＳ１０６：Ｎｏ）、この処理を終了し、次の処理に進む。
【００７３】
一方、制御部１７は、予測余剰電力量が発生する時間帯があると判定した場合（ステップＳ１０６：Ｙｅｓ）、該時間帯を抽出して記憶部１５に記憶させる（ステップＳ１０７）。図２の例では、制御部１７は、例えば、差分電力量が正値となる時間帯がある場合に予測余剰電力量が発生する時間帯があると判定する場合、１２：００〜１４：００の時間帯を、予測余剰電力量が発生する時間帯として抽出し、記憶部１５に記憶させる。また、制御部１７は、例えば、差分電力量が所定閾値（電力量ａ）以上となる時間帯がある場合に予測余剰電力量が発生する時間帯があると判定する場合、１１：００〜１５：００の時間帯を、予測余剰電力量が発生する時間帯として抽出し、記憶部１５に記憶させる。
【００７４】
なお、ステップＳ１０６，Ｓ１０７の処理において、所定閾値を設定して予測余剰電力量が発生する時間帯を抽出する場合、複数の所定閾値を設定して、予測余剰電力量が発生する時間帯を複数抽出するようにしてもよい。
【００７５】
＜第１電気料金及び第２電気料金を算出する際の動作＞
次に、給湯装置５０が昼間の買電電力で湯を沸かす場合に掛かる電気料金である第１電気料金と、給湯装置５０が夜間の買電電力で湯を沸かす場合に掛かる電気料金である第２電気料金とを算出する際の電力管理装置１０の動作の一例について説明する。
【００７６】
図７は、本発明の第１の実施形態に係る電力管理装置１０が第１電気料金及び第２電気料金を算出する際の動作の一例を示すフローチャートである。
【００７７】
まず、制御部１７は、翌日の昼間の外気温と夜間の外気温を取得する（ステップＳ２０１）。制御部１７は、例えば、取得部１４によって気象予測の情報を例えばネットワークを通じて気象庁又は気象予測会社から取得し、翌日の昼間の外気温及び夜間の外気温を取得する。又は、制御部１７は、例えば、記憶部１５に記憶されている過去の数日分の昼間の外気温の平均値を算出して、翌日の昼間の外気温を取得してもよい。同様に、制御部１７は、記憶部１５に記憶されている過去の数日分の夜間の外気温の平均値を算出して、翌日の夜間の外気温を取得してもよい。
【００７８】
次に、制御部１７は、ステップＳ２０１の処理で取得した昼間の外気温及び夜間の外気温に基づき、記憶部１５から、給湯装置５０の昼間の加熱効率と、給湯装置５０の夜間の加熱効率を取得する（ステップＳ２０２）。図３の例では、制御部１７は、例えば、取得した昼間の外気温が７℃である場合、加熱効率１００％を取得する。また、制御部１７は、例えば、取得した夜間の外気温が０℃である場合、加熱効率８０％を取得する。
【００７９】
その後、制御部１７は、ステップＳ２０２の処理で取得した昼間の加熱効率と、予測使用電力量を用いて、給湯装置５０が昼間の買電電力で湯を沸かす場合に使用する電力量である第１使用電力量を算出する（ステップＳ２０３）。また、制御部１７は、ステップＳ２０２の処理で取得した夜間の加熱効率と、予測使用電力量を用いて、給湯装置５０が夜間の買電電力で湯を沸かす場合に使用する電力量である第２使用電力量を算出する（ステップＳ２０４）。制御部１７は、例えば、上記式（１）によって、第１使用電力量及び第２使用電力量を算出する。
【００８０】
さらに、制御部１７は、ステップＳ２０３の処理によって算出した第１使用電力量と昼間の買電単価を用いて、第１電気料金を算出する（ステップＳ２０５）。制御部１７は、例えば、第１使用電力量に昼間の買電単価を乗算して、第１電気料金を算出する。
【００８１】
また、制御部１７は、ステップＳ２０４の処理によって算出した第２使用電力量と夜間の買電単価を用いて、第２電気料金を算出する（ステップＳ２０６）。制御部１７は、例えば、第２使用電力量に夜間の買電単価を乗算して、第２電気料金を算出する。
【００８２】
＜給湯装置が湯を沸かす時間帯を選択する際の動作＞
次に、抽出した予測余剰電力量が発生する時間帯等に基づき、需要家施設での電気料金が安くなるよう、給湯装置５０が湯を沸かす時間帯を選択する際の電力管理装置１０の動作について説明する。
【００８３】
図８は、本発明の第１の実施形態に掛かる電力管理装置１０が給湯装置５０の湯を沸かす時間帯を選択する際の動作の一例を示すフローチャートである。
【００８４】
まず、制御部１７は、記憶部１５を参照し、予測余剰電力量が発生する時間帯が抽出されているか否か判定する（ステップＳ３０１）。制御部１７は、予測余剰電力量が発生する時間帯が抽出されていると判定した場合（ステップＳ３０１：Ｙｅｓ）、ステップＳ３０５の処理に進む。一方、制御部１７は、予測余剰電力量が発生する時間帯が抽出されていないと判定した場合（ステップＳ３０１：Ｎｏ）、ステップＳ３０２の処理に進む。
【００８５】
ステップＳ３０２の処理では、制御部１７は、第１電気料金の方が、第２電気料金よりも小さい否か判定する。
【００８６】
制御部１７は、第１電気料金の方が第２電気料金よりも小さいと判定した場合（ステップＳ３０２：Ｙｅｓ）、昼間に湯を沸かした方が電気料金を安くすることができるため、給湯管理部１３に、昼間に湯を沸かすように指示する（ステップＳ３０３）。給湯管理部１３は、制御部１７からこの指示を受けると、昼間に湯を沸かすように給湯装置５０を制御する。
【００８７】
一方、制御部１７は、第１電気料金の方が第２電気料金よりも小さくないと判定した場合（ステップＳ３０２：Ｎｏ）、夜間に湯を沸かした方が電気料金を安くすることができるため、給湯管理部１３に、夜間に湯を沸かすよう指示する（ステップＳ３０４）。給湯管理部１３は、制御部１７からこの指示を受けると、夜間に湯を沸かすように給湯装置５０を制御する。
【００８８】
このようにステップＳ３０２〜Ｓ３０４の処理を行うことで、予測余剰電力量が発生する時間帯がない場合であっても、電気料金が安くなる昼間又は夜間に、給湯装置５０によって湯が沸かされる。これにより、電力管理装置１０では、需要家施設における経済的効果を高めることができる。
【００８９】
ステップＳ３０５の処理では、制御部１７は、第１電気料金の方が、第２電気料金よりも、小さいか否か判定する。
【００９０】
制御部１７は、第１電気料金の方が第２電気料金よりも小さいと判定した場合（ステップＳ３０２：Ｙｅｓ）、予測余剰電力量が発生する時間帯があり、かつ昼間に湯を沸かした方が電気料金を安くすることができるため、ステップＳ３０６の処理に進む。
【００９１】
ステップＳ３０６の処理では、制御部１７は、予測余剰電力量が発生する時間帯を考慮して、給湯装置５０が湯を沸かす時間帯を選択する。制御部１７は、例えば、１日における予測余剰電力量が第１使用電力量よりも大きい場合、給湯装置５０が湯を沸かす時間帯として、予測余剰電力量が発生する時間帯から任意の時間帯を選択する。また、制御部１７は、例えば、１日における予測余剰電力量が第１使用電力量よりも小さい場合、給湯装置５０が湯を沸かす時間帯として、予測余剰電力量が発生する時間帯を選択する。なお、この場合、第１使用電力量と予測余剰電力量との差分は、電力会社からの買電電力によって補われるが、買電電力によって湯を沸かす場合であっても、昼間に湯を沸かす方が、夜間に湯を沸かすよりも、電気料金が安くなる。そのため、このような場合であっても、電力管理装置１０では、需要家施設における経済的効果を高めることができる。
【００９２】
制御部１７は、給湯装置５０が湯を沸かす時間帯を選択すると、該時間帯に湯を沸かすよう給湯管理部１３に指示する（ステップＳ３０７）。給湯管理部１３は、制御部１７からこの指示を受けると、該時間帯に湯を沸かすよう給湯装置５０を制御する。
【００９３】
一方、制御部１７は、第１電気料金の方が第２電気料金よりも小さくないと判定した場合（ステップＳ３０５：Ｎｏ）、１日における予測余剰電力量が第２使用電力量よりも大きいか否か判定する（ステップＳ３０８）。制御部１７は、１日における予測余剰電力量が第２使用電力量よりも大きいと判定した場合（ステップＳ３０８：Ｙｅｓ）、ステップＳ３０９の処理に進む。一方、制御部１７は、１日における予測余剰電力量が第２使用電力量よりも大きくないと判定した場合（ステップＳ３０８：Ｎｏ）、ステップＳ３１１の処理に進む。
【００９４】
ステップＳ３０９の処理では、制御部１７は、予測余剰電力量が発生する時間帯を、給湯装置５０が湯を沸かす時間帯として選択する。そして、制御部１７は、該時間帯に湯を沸かすよう給湯管理部１３に指示する（ステップＳ３１０）。給湯管理部１３は、制御部１７からこの指示を受けると、該時間帯に湯を沸かすよう給湯装置５０を制御する。
【００９５】
このように、ステップＳ３０８〜Ｓ３１０の処理により、昼間に発生する予測余剰電力量で湯を沸かせる場合は、予測余剰電力量が発生する時間帯を、給湯装置５０が湯を沸かす時間帯として選択する。これにより、例えば太陽光発電の売電単価が夜間の買電単価より安くなった場合であっても、昼間に発生する予測余剰電力を無駄なく利用することができるため、電力管理装置１０では、需要家施設における経済的効果を高めることができる。
【００９６】
ステップＳ３１１の処理では、制御部１７は、給湯管理部１３に、夜間に湯を沸かすよう指示する。給湯管理部１３は、制御部１７からこの指示を受けると、夜間に湯を沸かすよう給湯装置５０を制御する。なお、この際、昼間に発生する余剰電力によって、蓄電装置３０を充電してもよい。また、需要家施設が電力会社と余剰電力の買い取り契約をしている場合は、昼間に発生する余剰電力を電力会社に売電してもよい。
【００９７】
なお、予測余剰電力量の発生する時間帯が複数抽出されている場合、ステップＳ３０９の処理において、給湯装置５０が湯を沸かす時間帯を複数選択してもよい。
【００９８】
また、ステップＳ３０９，Ｓ３１０の処理において、給湯装置５０が昼間に発生する余剰電力を使用しても、電力に余剰が発生する場合は、該電力によって蓄電装置３０を充電してもよい。また、需要家施設が電力会社と余剰電力の買い取り契約をしている場合は、該電力を電力会社に売電してもよい。
【００９９】
また、ステップＳ３０９，Ｓ３１０の処理において、需要家施設が電力会社と余剰電力の買い取り契約をしている場合、昼間に発生する余剰電力を売電し、夜間に給湯装置５０によって湯を沸かすようにしてもよい。この場合、制御部１７は、まず、１日における予測余剰電力量に売電単価を乗算して第３電気料金を算出する。そして、第１電気料金よりも第３電気料金が大きい場合、昼間に発生する余剰電力を売電し、昼間に給湯装置５０によって湯を沸かすようにしてもよい。
【０１００】
また、上述のように、給湯装置５０によって湯を沸かす時間帯を、翌日の１日における時間帯から選択する場合、ステップＳ１０１〜Ｓ１０７，Ｓ２０１〜Ｓ２０６，Ｓ３０１〜Ｓ３１１の処理は、前日に行うとよい。加えて、当日においても実績電力値に応じて１時間毎に補正の算出を行うようにするとなおよい。
【０１０１】
なお、本実施形態において、電力管理装置１０は、外部から取得する昼間の買電単価及び夜間の買電単価が所定の条件を満たした場合に、上述の制御を行うようにしてもよい。例えば、上述の図４において説明したように、昼間の買電単価と夜間の買電単価との価格差が小さくなると、昼間に湯を沸かした方が、電気料金が安くなる場合が生じる。そこで、例えば、昼間に湯を沸かした方が、電気料金が安くなる場合が生じ得る、昼間の買電単価と夜間の買電単価との価格差を所定の条件として記憶部１５に記憶させておく。そして、電力管理装置１０は、外部から取得した昼間の買電単価と夜間の買電単価との価格差が、所定の条件とする価格差未満となった場合に、上述の制御を行うようにしてもよい。
【０１０２】
また、本実施形態では、給湯装置５０は、ヒートポンプ式給湯装置であるものとして説明したが、電気ヒータ式給湯装置であってもよい。
【０１０３】
また、本実施形態では、特許請求の範囲における「第２負荷装置」が給湯装置であるものとして説明したが、第２負荷装置は、給湯装置以外の他の電気機器であってもよい。この場合、第１負荷装置の予測消費電力量と同様にして第２負荷装置の予測消費電力量を算出し、第２負荷装置の予測消費電力量を予測使用電力量としてもよい。また、この場合、第２負荷装置のエネルギー効率を、加熱効率としてもよい。
【０１０４】
以上のように、第１の実施形態に係る電力管理装置１０では、予測発電電力量及び予測消費電力量を用いて、予測余剰電力量が発生する時間帯を抽出する。また、昼間の買電単価及び予測使用電力量を用いて第１電気料金を算出し、さらに夜間の買電単価及び予測使用電力量を用いて第２電気料金を算出する。そして、電力管理装置１０では、算出した第１電気料金と第２電気料金との比較、及び、抽出した予測余剰電力量が発生する時間帯に基づき、需要家施設での電気料金が安くなるよう、給湯装置５０が湯を沸かす時間帯を選択する。これにより、電力管理装置１０では、需要家施設における経済的効果を高めることができる。
【０１０５】
（第２の実施形態）
［システム構成］
第２の実施形態に係る電力管理装置１０は、第１の実施形態に係る電力管理装置１０と同様の構成を採用できるため、以下では、図１を参照し、第１の実施形態との相違点について主に説明する。
【０１０６】
給湯装置５０が夜間に沸かした湯を需要家施設で昼間以降に使用する場合、夜間に沸かしたお湯を、追い炊きすることがある。これは、途中で湯が使用された場合の他に、給湯装置５０が湯沸かしを完了してから需要家施設で湯が使用されるまでに、貯湯タンクを覆っている断熱材から熱が漏れて湯の温度が低下するためである。第２の実施形態では、この追い炊きで使用する電力と、給湯装置５０の保温性能とを考慮して、第１電気料金（昼間の買電電力で昼間に湯を沸かす場合の電気料金）と、第２電気料金（夜間の買電電力で夜間に湯を沸かす場合の電気料金）を算出する。
【０１０７】
記憶部１５は、第２の実施形態では、給湯装置５０の保温性能と、追い炊き電力とをさらに記憶している。保温性能とは、給湯装置５０が湯を貯湯している際に、単位時間当たりに低下する湯の温度である。また、追い炊き電力とは、給湯装置５０が追い炊きを行う際に、湯を１℃上げるのに必要な電力である。
【０１０８】
次に、制御部１７の処理について説明する。制御部１７の処理において、第２の実施形態では、第１の実施形態とは、＜第１電気料金及び第２電気料金の算出処理＞のみが異なる。従って、以下、この処理のみを説明する。また、第２の実施形態でも、第１の実施形態と同様に、消費電力演算部１２によって１時間毎の予測使用電力量が算出されるものとし、制御部１７は、給湯装置５０が湯を沸かす時間帯を、翌日の１日における時間帯から選択するものとする。
【０１０９】
＜第１電気料金及び第２電気料金の算出処理＞
まず、制御部１７は、第１の実施形態と同様にして、翌日の昼間の外気温と夜間の外気温を取得する。そして、制御部１７は、第１の実施形態と同様にして、取得した昼間の外気温及び夜間の外気温に基づき、記憶部１５から、給湯装置５０の昼間の加熱効率と、給湯装置５０の夜間の加熱効率を取得する。
【０１１０】
また、制御部１７は、第１の実施形態と同様にして、取得した昼間の加熱効率と、予測使用電力量を用いて、第１使用電力量（給湯装置５０が昼間の買電電力で湯を沸かす場合に使用する電力量）を算出する。制御部１７は、例えば、上記式（１）によって第１使用電力量を算出する。
【０１１１】
次に、第２の実施形態では、制御部１７は、取得した夜間の加熱効率と、保温性能と、追い炊き電力と、予測使用電力量とを用いて、第２使用電力量を算出する。以下、第２の実施形態に係る第２使用電力量の算出処理について説明する。
【０１１２】
給湯装置５０は、夜間に湯を沸かす場合、夜の２３：００から湯沸かしを開始して、１：００に湯沸かしを完了するものとする。また、需要家施設で最も湯が使用される時刻は、翌日の１７：００であるものとする。このとき、給湯装置５０が湯沸かしを完了してから需要家施設で湯が使用されるまでの時間（以下「保温時間」という）は、１６時間となる。この場合、保温性能が０．５℃／ｈであると、夜間に沸かした湯の温度は、湯が需要家施設で使用されるまでに、８℃低下する。従って、本実施形態では、夜間に湯を沸かす場合は、需要家施設で設定される湯の温度より、温度が８℃高い湯を沸かすようにする。例えば、需要家施設で設定される湯の温度が４２℃である場合、夜間に湯を沸かす場合は、５０℃の湯を沸かすようにする。この場合、制御部１７は、例えば、以下の式（２）によって、第２使用電力量を算出する。
Ｐｂ＝｛Ｐ１＋Ｔ×Ｅ１×ｐ｝×｛１＋（１００−ｅ）／１００）｝    式（２）
式（２）において、Ｐｂは第２使用電力量、Ｐ１は予測使用電力量、ｅは給湯装置５０の夜間の加熱効率、Ｔは保温時間、Ｅ１は保温性能、ｐは追い炊き電力である。制御部１７は、例えば、予測使用電力量Ｐ１が４．６ｋＷｈ、加熱効率ｅが８０％、Ｔが１６時間、保温性能Ｅ１が０．５℃／ｈ、及び、追い炊き電力ｐが０．１２ｋＷｈ／℃である場合、式（２）によって第２使用電力量Ｐｂを５．５６ｋＷｈと算出する。
【０１１３】
さらに、制御部１７は、第１の実施形態と同様にして、算出した第１使用電力量と昼間の買電単価を用いて、第１電気料金を算出する。また、制御部１７は、第１の実施形態と同様にして、算出した第２使用電力量と夜間の買電単価を用いて、第２電気料金を算出する。
【０１１４】
図９に、第２の実施形態において、算出される第１電気料金及び第２電気料金の一例を示す。図９でも、図４と同様に、予測使用電力量を、一般的な給湯装置で、５℃の水３７４Ｌを４２℃まで沸き上げる際に使用される電力量４．６０ｋＷｈとしている。なお、単価例Ａは、図４に示す単価例Ａと同様のものである。単価例３及び単価例４は、図４に示す単価例１及び単価例２と同様に、将来、電力会社と時間帯別電灯契約をした際に設定されると予想される、昼間の買電単価及び夜間の買電単価の一例である。
【０１１５】
単価例Ａでは、上述の図４で説明したように、外気温に関わらず、第２電気料金の方が第１電気料金よりも、小さくなる。従って、単価例Ａでは、外気温に関わらず、給湯装置５０によって夜間に湯を沸かした方が電気料金は安くなる。これに対し、単価例３において、昼間の外気温が７℃（加熱効率１００％）で夜間の外気温が７℃（加熱効率１００％）である場合、第２電気料金の方が第１電気料金よりも、大きくなる。つまり、昼間の外気温と夜間の外気温が７℃で同じになる日であっても、給湯装置５０の保温性能及び追い炊き電力を考慮すると、給湯装置５０によって昼間に湯を沸かした方が電気料金は安くなる。また、単価例４において、昼間の外気温が７℃（加熱効率１００％）で夜間の外気温が−５℃（加熱効率６５％）である場合に、第２電気料金の方が第１電気料金よりも、大きくなる。つまり、昼間の外気温が７℃で夜間の外気温が−５℃となる日は、給湯装置５０によって昼間に湯を沸かした方が電気料金は安くなる。このように、給湯装置５０の保温性能及び追い炊き電力を考慮した場合、昼間の買電単価と夜間の買電単価との価格差が小さくなると、昼間に湯を沸かした方が、電気料金が安くなる場合が生じる。
【０１１６】
［システム動作］
以下、本実施形態に係る電力管理装置１０の動作について説明する。なお、第２の実施形態において、＜予測余剰電力量が発生する時間帯を抽出する際の動作＞（図６）及び＜給湯装置が湯を沸かす時間帯を選択する際の動作＞（図８）は、第１実施形態と同様であるため説明を省略する。従って、以下では、図７を参照し、＜第１電気料金及び第２電気料金を算出する際の動作＞のみを説明する。
【０１１７】
＜第１電気料金及び第２電気料金を算出する際の動作＞
まず、制御部１７は、第１の実施形態と同様にして、ステップＳ２０１〜Ｓ２０３の処理を行う。
【０１１８】
次に、制御部１７は、取得した夜間の加熱効率と、保温性能と、追い炊き電力と、予測使用電力量とを用いて、第２使用電力量を算出する。制御部１７は、例えば、上記式（２）によって、第２使用電力量を算出する（ステップＳ２０４）。
【０１１９】
その後、制御部１７は、第１の実施形態と同様にして、ステップＳ２０５，Ｓ２０６の処理を行う。
【０１２０】
ここで、第２の実施形態において、例えば給湯装置５０の性能が良く、外気温による加熱効率の変動量を無視できる場合、給湯装置５０の保温性能のみを考慮して、第１使用電力及び第２使用電力を算出してもよい。この場合、第１使用電力は、予測使用電力量となる。また、第２使用電力は、以下の式（３）によって算出することができる。
Ｐｃ＝Ｐ１＋Ｔ×Ｅ１×ｐ                                        式（３）
式（３）において、Ｐｃは第２使用電力量であり、その他の要素は式（２）の要素と同一である。さらに、この場合、図７に示すステップＳ２０１，Ｓ２０２の処理は省略してもよい。
【０１２１】
このように、第２の実施形態に係る電力管理装置１０では、給湯装置５０の保温性能を考慮して、第２電気料金を算出する。そして、算出した第１電気料金と第２電気料金との比較、及び、抽出した予測余剰電力量が発生する時間帯に基づき、需要家施設での電気料金が安くなるよう、給湯装置５０が湯を沸かす時間帯を選択する。これにより、電力管理装置１０では、需要家施設における経済的効果をより高めることができる。
【０１２２】
第２の実施形態に係る電力管理装置１０において、その他の効果は、第１の実施形態に係る電力管理装置１０と同様である。
【０１２３】
（第３の実施形態）
［システム構成］
第３の実施形態に係る電力管理装置１０は、第１の実施形態に係る電力管理装置１０と同様の構成を採用できるため、以下では、図１を参照し、第１の実施形態との相違点について主に説明する。
【０１２４】
第３の実施形態では、給湯装置５０が湯を沸かす際に水道から取水する水道水の温度（以下、単に「取水温度」と称する）を考慮する。これは、予測使用電力量が、取水温度によって変動するためである。
【０１２５】
そこで、第３の実施形態では、消費電力演算部１２は、取水温度に基づいて予測使用電力量を算出する（電力管理システム１の動作では、図６に示すステップＳ１０４の処理に相当）。そして、制御部１７は、取水温度に基づいて算出された予測使用電力量を用いて、第１の実施形態に係る処理又は第２の実施形態に係る処理を行う。なお、取水温度の情報は、取得部１４によって外部サーバ（例えば、水道局の情報サイトやサービス会社のサーバ）等から取得され、記憶部１５に記憶される。また、給湯装置５０が取水温度の測定データを外部出力可能であれば、ＥＣＨＯＮＥＴ  Ｌｉｔｅ等の通信プロトコルを通じて情報を取得してもよい。
【０１２６】
図１０に、本発明の第３の実施形態において、算出される昼間の電気料金及び夜間の電気料金の一例を示す。上述の図４では、取水温度５℃に基づき、予測使用電力量が４．６０ｋＷｈと算出されていたが、図１０では、取水温度２５℃に基づき、予測使用電力量が２．１１ｋＷｈと算出されている。また、図１０では、予測使用電力量２．１１ｋＷｈに対して、第２の実施形態に係る処理を実行し、第１電気料金及び第２電気料金が算出されている。また、単価例Ａは、図４に示す単価例Ａと同様のものである。単価例５及び単価例６は、図４に示す単価例１及び単価例２と同様に、将来、電力会社と時間帯別電灯契約をした際に設定されると予想される、昼間の買電単価及び夜間の買電単価の一例である。
【０１２７】
単価例Ａでは、上述の図４で説明したように、外気温に関わらず、第２電気料金の方が第１電気料金よりも、小さくなる。従って、単価例Ａでは、外気温に関わらず、給湯装置５０によって夜間に湯を沸かした方が電気料金は安くなる。これに対し、単価例５において、昼間の外気温が７℃（加熱効率１００％）で夜間の外気温が７℃（加熱効率１００％）である場合、第２電気料金の方が第１電気料金よりも、大きくなる。つまり、昼間の外気温が７℃で夜間の外気温が７℃と同じになる日であっても、取水温度を考慮すると、給湯装置５０によって昼間に湯を沸かした方が電気料金は安くなる。また、単価例６において、昼間の外気温が７℃（加熱効率１００％）で夜間の外気温が５℃（加熱効率９５％）である場合に、第２電気料金の方が第１電気料金よりも、大きくなる。つまり、昼間の外気温が７℃で夜間の外気温が５℃となる日では、給湯装置５０によって昼間に湯を沸かした方が電気料金は安くなる。このように、昼間の買電単価と夜間の買電単価との価格差が小さくなると、取水温度を考慮した場合、昼間に湯を沸かした方が、電気料金が安くなる場合が生じる。
【０１２８】
なお、取水温度は、外気温と比較して１日における変動が小さく、季節毎に変動する。従って、消費電力演算部１２は、季節毎に予測使用電力量を算出するようにしてもよい。この場合、電力管理装置１０に夏季モード及び冬季モードを設けてもよい。そして、消費電力演算部１２は、電力管理装置１０が夏季モード及び冬季モードに設定される度に、取水温度に基づき、予測使用電力量を算出するようにしてもよい。
【０１２９】
このように、予測使用電力量を取水温度に基づき算出することで、第１電気料金及び第２電気料金をより精度良く算出することができる。従って、第３の実施形態では、需要家施設での電気料金が安くなるよう、給湯装置５０が湯を沸かす時間帯を、より精度良く選択することができる。これにより、電力管理装置１０では、需要家施設における経済的効果をより高めることができる。
【０１３０】
第３の実施形態に係る電力管理装置１０において、その他の効果は、第１及び２の実施形態に係る電力管理装置１０と同様である。
【０１３１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップ等に含まれる機能等は論理的に矛盾しないように再配置可能であり、複数の構成部やステップ等を１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
また、上述の実施形態では、通常の買電単価等で算出していたが、電力消費抑制のデマンドレスポンス、又は、出力抑制などにおいて特別な買電単価が設定される場合には、その買電単価を考慮して経済的効果が高くなるように算出してもよい。
【符号の説明】
【０１３２】
１  電力管理システム
１０  電力管理装置
１１  発電電力演算部
１２  消費電力演算部
１３  給湯管理部
１４  取得部
１５  記憶部
１６  表示部
１７  制御部
２０  太陽光発電装置（分散電源装置）
３０  蓄電装置
４０  第１負荷装置
５０  給湯装置（第２負荷装置）
１００  電力系統
【図１】
0006657004.tif 000002
【図２】
0006657004.tif 000003
【図３】
0006657004.tif 000004
【図４】
0006657004.tif 000005
【図５】
0006657004.tif 000006
【図６】
0006657004.tif 000007
【図７】
0006657004.tif 000008
【図８】
0006657004.tif 000009
【図９】
0006657004.tif 000010
【図１０】
0006657004.tif 000011